(57)【要約】【課題】  チップのガタつきが防止される一方、高い精度の部品寸法管理を必要としない多芯筆記具。【解決手段】  複数のチップホルダーと、各チップホルダーの移動に伴って出没可能なチップと、１つのチップホルダーの前端側への移動に伴って当該チップホルダーに固定されたチップの外周に遊嵌可能な環状部材と、当該環状部材に弾性部材を介して接続され前記チップホルダーの前端側への移動に伴って当該チップホルダーに当接可能な環状カラーと、当該環状カラーを軸筒の内面に支持する第２弾性部材と、を備える。環状部材の外周に先細状の当接面が形成され、環状部材の一部に切欠きが形成され、前記当接面において荷重を受ける時に環状部材の内径が縮径する。軸筒の内面の一部に先細状の案内面が形成され、前記当接面は、チップホルダーの前端側への移動に伴って環状カラー及び弾性部材を介して環状部材が前端側へ移動する際、前記案内面から前記荷重を受ける。【選択図】  図５
2019111659.tif 000002
【特許請求の範囲】
【請求項１】
前端に開口を有する軸筒と、
前記軸筒の内部に収容され、前記軸筒の軸方向に移動可能な複数のチップホルダーと、
各チップホルダーの前端に固定され、当該チップホルダーの移動に伴って前記軸筒の前記開口から出没可能なチップと、
前記複数のチップホルダーのうちの１つのチップホルダーの前端側への移動に伴って当該１つのチップホルダーまたは当該１つのチップホルダーに固定されたチップの外周に遊嵌可能であって、当該遊嵌時において当該１つのチップホルダーまたは当該チップに対して当該１つのチップホルダーまたは当該チップの軸方向に移動可能な環状部材と、
前記環状部材に弾性部材を介して接続され、前記１つのチップホルダーの前端側への移動に伴って当該１つのチップホルダーに当接可能な環状カラーと、
前記環状カラーを前記軸筒の内面に支持する第２弾性部材と、
を備え、
前記環状部材の外周の少なくとも一部には、前記１つのチップホルダーの前端側への移動に伴って前記環状カラー及び前記弾性部材を介して前記環状部材が前端側へ移動する際、前記軸筒の内面の一部に当接する当接面が形成されており、
前記環状部材の一部には、切欠きが形成されており、前記当接面において荷重を受ける時に当該環状部材の内径が縮径するようになっており、
前記軸筒の内面の一部には、前記１つのチップホルダーの前端側への移動に伴って前記当接面が当接する案内面が形成されており、
前記当接面は、前記１つのチップホルダーの前端側への移動に伴って前記環状カラー及び前記弾性部材を介して前記環状部材が前端側へ移動する際、前記案内面から前記荷重を受けるようになっている
ことを特徴とする多芯筆記具。
【請求項２】
前記切欠きは、前記環状部材の周方向に等間隔に複数が配置されており、
前記複数の切欠きの各々は、前記環状部材の軸方向に延びるスリットである
ことを特徴とする請求項１に記載の多芯筆記具。
【請求項３】
前記当接面は、前端に向かって先細状であり、
前記案内面も、前端に向かって先細状である
ことを特徴とする請求項１または２に記載の出没式筆記具。
【請求項４】
前記当接面は、切頭円錐面を有している
ことを特徴とする請求項３に記載の多芯筆記具。
【請求項５】
前記弾性部材は、軸方向に垂直な方向に延びるスリットが多数形成された筒状の樹脂バネ部材である
ことを特徴とする請求項１乃至４のいずれかに記載の多芯筆記具。
【請求項６】
前記環状部材及び前記環状カラーは、前記樹脂バネ部材と一体成形されている
ことを特徴とする請求項５に記載の多芯筆記具。
【請求項７】
前端にチップが固定された複数のチップホルダーを軸方向に移動可能に収容可能であって、前端に開口を有し、前記複数のチップホルダーのうちの１つのチップホルダーの移動に伴って当該１つのチップホルダーに固定されたチップを前記開口から出没させることが可能な多芯筆記具用の軸筒であって、
前記１つのチップホルダーの前端側への移動に伴って当該１つのチップホルダーまたは当該１つのチップホルダーに固定されたチップの外周に遊嵌可能であって、当該遊嵌時において当該１つのチップホルダーまたは当該チップに対して当該１つのチップホルダーまたは当該チップの軸方向に移動可能な環状部材と、
前記環状部材に弾性部材を介して接続され、前記１つのチップホルダーの前端側への移動に伴って当該１つのチップホルダーに当接可能な環状カラーと、
前記環状カラーを当該軸筒の内面に支持する第２弾性部材と、
を備え、
前記環状部材の外周の少なくとも一部には、前記１つのチップホルダーの前端側への移動に伴って前記環状カラー及び前記弾性部材を介して前記環状部材が前端側へ移動する際、前記軸筒の内面の一部に当接する当接面が形成されており、
前記環状部材の一部には、切欠きが形成されており、前記当接面において荷重を受ける時に当該環状部材の内径が縮径するようになっており、
前記軸筒の内面の一部には、前記１つのチップホルダーの前端側への移動に伴って前記当接面が当接する案内面が形成されており、
前記当接面は、前記１つのチップホルダーの前端側への移動に伴って前記環状カラー及び前記弾性部材を介して前記環状部材が前端側へ移動する際、前記案内面から前記荷重を受けるようになっている
ことを特徴とする多芯筆記具用の軸筒。
【請求項８】
前記切欠きは、前記環状部材の周方向に等間隔に複数が配置されており、
前記複数の切欠きの各々は、前記環状部材の軸方向に延びるスリットである
ことを特徴とする請求項７に記載の多芯筆記具用の軸筒。
【請求項９】
前記当接面は、前端に向かって先細状であり、
前記案内面も、前端に向かって先細状である
ことを特徴とする請求項７または８に記載の多芯筆記具用の軸筒。
【請求項１０】
前記当接面は、切頭円錐面を有している
ことを特徴とする請求項９に記載の多芯筆記具用の軸筒。
【請求項１１】
前記弾性部材は、軸方向に垂直な方向に延びるスリットが多数形成された筒状の樹脂バネ部材である
ことを特徴とする請求項７乃至９のいずれかに記載の多芯筆記具用の軸筒。
【請求項１２】
前記環状部材及び前記環状カラーは、前記樹脂バネ部材と一体成形されている
ことを特徴とする請求項１１に記載の多芯筆記具用の軸筒。
【発明の詳細な説明】
【技術分野】
【０００１】
本発明は、多芯筆記具に関する。特には、軸筒内に複数の筆記体を収容することができる多芯筆記具に関する。
【背景技術】
【０００２】
特許文献１には、軸筒に対し前後方向に摺動して該軸筒の開口部から筆記体の筆記部を繰り出す多芯筆記具が開示されている。各筆記体の先端部外周に環状部材が配設されていて、筆記部が出没する軸筒先端の開口部周辺の内側面に、環状部材が当接する略球面状の内面が形成されている。環状部材は、筆記体に対してスプリングを介して固定されていて、前方に向けて付勢されている。筆記部が繰り出されると、スプリングの弾発力によって環状部材が軸筒先端の内側面に密着される。これにより、筆記時にガタつく事を防止することができる。
【先行技術文献】
【特許文献】
【０００３】
【特許文献１】特開２０１３−２２０６０２
【発明の概要】
【発明が解決しようとする課題】
【０００４】
特許文献１に開示された技術では、筆記時のガタツキを防止する効果を高めるためには、環状部材の内面と筆記部の外周面との間の寸法関係を適切に管理する必要がある。例えば、筆記部の外周面と軸筒の先端部内面との間の隙間寸法より筆記部の外周面と環状部材の内面との間の隙間寸法の方が大きければ、筆記時のガタツキを防止する効果を得られない。このため、高い寸法精度が要求され、生産性の点で問題がある。
【０００５】
本発明は、以上のような知見に鑑みてなされたものであり、その目的とするところは、筆記時にチップのガタつきが防止されて安定した筆記感が得られる一方、高い精度の部品寸法管理を必要としない多芯筆記具を提供することである。
【課題を解決するための手段】
【０００６】
本発明は、前端に開口を有する軸筒と、前記軸筒の内部に収容され、前記軸筒の軸方向に移動可能な複数のチップホルダーと、各チップホルダーの前端に固定され、当該チップホルダーの移動に伴って前記軸筒の前記開口から出没可能なチップと、前記複数のチップホルダーのうちの１つのチップホルダーの前端側への移動に伴って当該１つのチップホルダーまたは当該１つのチップホルダーに固定されたチップの外周に遊嵌可能であって、当該遊嵌時において当該１つのチップホルダーまたは当該チップに対して当該１つのチップホルダーまたは当該チップの軸方向に移動可能な環状部材と、前記環状部材に弾性部材を介して接続され、前記１つのチップホルダーの前端側への移動に伴って当該１つのチップホルダーに当接可能な環状カラーと、前記環状カラーを前記軸筒の内面に支持する第２弾性部材と、を備え、前記環状部材の外周の少なくとも一部には、前記１つのチップホルダーの前端側への移動に伴って前記環状カラー及び前記弾性部材を介して前記環状部材が前端側へ移動する際、前記軸筒の内面の一部に当接する当接面が形成されており、前記環状部材の一部には、切欠きが形成されており、前記当接面において荷重を受ける時に当該環状部材の内径が縮径するようになっており、前記軸筒の内面の一部には、前記１つのチップホルダーの前端側への移動に伴って前記当接面が当接する案内面が形成されており、前記当接面は、前記１つのチップホルダーの前端側への移動に伴って前記環状カラー及び前記弾性部材を介して前記環状部材が前端側へ移動する際、前記案内面から前記荷重を受けるようになっていることを特徴とする多芯筆記具である。
【０００７】
本発明によれば、チップホルダーの前端側への移動に伴って環状カラー及び弾性部材を介して環状部材が前端側へ移動し、環状部材の当接部が軸筒の案内面から荷重を受けることによって環状部材の切欠きの存在によって環状部材の内径が縮径する。これにより、軸筒と環状部材とが協働してチップまたはチップホルダーをガタつき（遊び）の無い態様で把持することができる。更に、チップホルダーが当接する環状カラーと環状部材とが弾性部材を介して接続されていることにより、環状部材の内径の縮径の程度等について高精度の寸法管理をしなくても、チップまたはチップホルダーをガタつき（遊び）の無い態様で効果的に把持することを保証できる。
【０００８】
好ましくは、前記切欠きは、前記環状部材の周方向に等間隔に複数が配置されており、前記複数の切欠きの各々は、前記環状部材の軸方向に延びるスリットである。この場合、環状部材の内径が周方向にバランス良く縮径することができる。
【０００９】
前記当接面は、前端に向かって先細状であることが好ましく、前記案内面も、前端に向かって先細状であることが好ましい。前記当接面は、例えば切頭円錐面を有していることが好ましい。この場合、前記案内面は、対応する凹切頭円錐面であることが好ましい。あるいは、前記当接面は、軸線周りに回転対称な凸曲面を有していることが好ましい。この場合、前記案内面は、軸線周りに回転対称であって前記凸曲面の曲率よりも緩やかな曲率の凹曲面または凹切頭円錐面であることが好ましい。
【００１０】
また、好ましくは、前記弾性部材は、軸方向に垂直な方向に延びるスリットが多数形成された筒状の樹脂バネ部材である。この場合、更に、環状部材と樹脂バネ部材と環状カラーとが同一樹脂材料から一体成形されていることが好ましい。
【００１１】
また、前記複数のチップホルダーの一つは、摩擦部材をチップとして保持していることが好ましい。摩擦部材とは、消しゴムや、熱変色性筆記具用の摩擦熱発生用ラバー（消去用ラバー）である。この場合、筆跡消去時に摩擦部材がガタつく事を防止することができ、より安定した筆跡消去感が得られる。
【００１２】
また、本発明は、以上の多芯筆記具の軸筒のみをも対象とするものである。すなわち、本発明は、前端にチップが固定された複数のチップホルダーを軸方向に移動可能に収容可能であって、前端に開口を有し、前記複数のチップホルダーのうちの１つのチップホルダーの移動に伴って当該１つのチップホルダーに固定されたチップを前記開口から出没させることが可能な多芯筆記具用の軸筒であって、前記１つのチップホルダーの前端側への移動に伴って当該１つのチップホルダーまたは当該１つのチップホルダーに固定されたチップの外周に遊嵌可能であって、当該遊嵌時において当該１つのチップホルダーまたは当該チップに対して当該１つのチップホルダーまたは当該チップの軸方向に移動可能な環状部材と、前記環状部材に弾性部材を介して接続され、前記１つのチップホルダーの前端側への移動に伴って当該１つのチップホルダーに当接可能な環状カラーと、前記環状カラーを当該軸筒の内面に支持する第２弾性部材と、を備え、前記環状部材の外周の少なくとも一部には、前記１つのチップホルダーの前端側への移動に伴って前記環状カラー及び前記弾性部材を介して前記環状部材が前端側へ移動する際、前記軸筒の内面の一部に当接する当接面が形成されており、前記環状部材の一部には、切欠きが形成されており、前記当接面において荷重を受ける時に当該環状部材の内径が縮径するようになっており、前記軸筒の内面の一部には、前記１つのチップホルダーの前端側への移動に伴って前記当接面が当接する案内面が形成されており、前記当接面は、前記１つのチップホルダーの前端側への移動に伴って前記環状カラー及び前記弾性部材を介して前記環状部材が前端側へ移動する際、前記案内面から前記荷重を受けるようになっていることを特徴とする多芯筆記具用の軸筒である。
【発明の効果】
【００１３】
本発明によれば、チップホルダーの前端側への移動に伴って環状カラー及び弾性部材を介して環状部材が前端側へ移動し、環状部材の当接部が軸筒の案内面から荷重を受けることによって環状部材の切欠きの存在によって環状部材の内径が縮径する。これにより、軸筒と環状部材とが協働してチップまたはチップホルダーをガタつき（遊び）の無い態様で把持することができる。更に、チップホルダーが当接する環状カラーと環状部材とが弾性部材を介して接続されていることにより、環状部材の内径の縮径の程度等について高精度の寸法管理をしなくても、チップまたはチップホルダーをガタつき（遊び）の無い態様で効果的に把持することを保証できる。
【図面の簡単な説明】
【００１４】
【図１】本発明の一実施形態における多芯筆記具の概略縦断面図であって、全てのチップ（筆記体）が突出していない状態を示す図である。
【図２】図１の多芯筆記具の先端部分の拡大縦断面図である。
【図３】図２のＡ−Ａ線断面図である。
【図４】図４（ａ）は、図１の多芯筆記具の環状部材と弾性部材とカラー部材の斜視図である。図４（ｂ）は、図４（ａ）の環状部材と弾性部材とカラー部材の側面図である。図４（ｃ）は、図４（ｂ）のＣ−Ｃ線断面図である。図４（ｄ）は、図４（ａ）の環状部材と弾性部材とカラー部材の正面図（先端側から見た図）である。図４（ｅ）は、図４（ａ）の環状部材と弾性部材とカラー部材の背面図である。
【図５】図１の多芯筆記具の概略縦断面図であって、一つのチップ（筆記体）が突出している状態を示す図である。
【図６】図５の多芯筆記具の先端部分の拡大縦断面図である。
【図７】図６のＢ−Ｂ線断面図である。
【発明を実施するための形態】
【００１５】
以下、図面を参照して本発明の一実施の形態について説明する。  
【００１６】
図１は、本発明の一実施形態における多芯筆記具１０１の概略縦断面図であって、全てのチップ（筆記体）が突出していない状態を示す図である。一方、図５は、図１の多芯筆記具１０１の概略縦断面図であって、筆記体の一例であるボールペンチップが突出している状態を示す図である。
【００１７】
図１及び図５に示すように、本実施形態の多芯筆記具１０１は、先細状の円筒体からなる前軸１０３と、当該前軸１０３の後端部と螺合または圧入により取り付けられる円筒状の後軸１０４と、からなる軸筒１０２を備えている。前軸１０３の前端には、筆記体１０６のチップ１６１が突出可能な開口１３１が軸方向に貫設されている。前軸１０３及び後軸１０４は、合成樹脂（例えば、ポリカーボネイト等）または金属により形成される。
【００１８】
後軸１０４の後部の側壁には、例えば５本（２〜６本から選択され得る）の前後方向に延びる細長状の窓孔１４１（図５参照）が、径方向に貫設されている。５本の窓孔１４１は、例えば、周方向に等間隔に形成されている。
【００１９】
後軸１０４の５本の窓孔１４１の内側の軸心側の領域には、前後方向に延びるリリースバー１４３が延出されている。リリースバー１４３の前方端は、後述するスプリング支持体１０９に支持されている。一方、後軸１０４の５本の窓孔１４１の相互間の側壁内面には、前後方向に延びる係止壁部１４３ａが形成されており、当該係止壁部１４３ａは、ペン先が突出した状態の筆記体１０６の操作体１０７の後端を係止できるようになっている。そして、ペン先が突出した状態の筆記体１０６の操作体１０７の後端が当該係止壁部１４３ａに係止されている際において、代わりに他の筆記体１０６を突出させるべく当該他の筆記体１０６の操作体１０７が前方に移動される時に、当該他の筆記体１０６の操作体１０７がリリースバー１４３を径方向外方に押圧し、当該押圧されたリリースバー１４３が前記係止壁部１４３ａに係止されていた操作体１０７の後端を径方向外方に押圧してその係止状態を解除するようになっている。その他、後軸１０４の５本の窓孔１４１の相互間の側壁外面の一カ所に、クリップ１４４が設けられている。
【００２０】
後軸１０４の後端部には、当該後端部を開閉自在にする蓋部１０５が回動自在に設けられている。蓋部１０５の一端部は、例えば、クリップ１４４基部に、ヒンジ部により回動自在に接続され得る。ヒンジ部は、例えば、ペン先下向きでクリップ１４４を正面視したときのクリップ１４４の左右方向に延設され得る。この場合、蓋部１０５は、略前後方向に回動自在であり得る。
【００２１】
蓋部１０５の前面には、当接壁部が形成されている。当該当接壁部に、没入状態の筆記体１０６の後端に連結された操作体１０７の後端が、衝止されるようになっている（図１参照）。ヒンジ部としては、典型的には、回動軸により回動自在に接続される構成が採用され得るが、当該態様以外にも、屈曲変形可能な可撓性を有する連結部等も採用され得る。
【００２２】
そして、例えば、蓋部１０５の他端部の前面には、係合部が設けられ（例えば係合凹部または係合孔部）、後軸１０４の後端には、当該係合部と係合可能な被係合部が設けられ得る（例えば係合凸部）。更に詳細には、係合部（係合凹部または係合孔部）の内面に内向突起が形成され得て、被係合部（係合凸部）の外面に前記内向突起と乗り越え係止可能な外向突起が形成され得る。
【００２３】
この場合、係合部と被係合部とは、蓋部１０５が後端開口部を閉鎖している間、互いに係合状態にある（内向突起と外向突起が乗り越え係止状態にある）。その係合状態は、後述するコイルスプリング１０８の後方への付勢による操作体１０７と蓋部１０５の当接壁部との当接では解除されず、蓋部１０５が開くことはない。
【００２４】
各々の操作体１０７は、特には図５に示すように、操作部１７１と、前側突出部１７２と、後側突出部１７３と、嵌入部１７４と、鍔部１７５と、を有している。操作部１７１は、操作体１０７の後端部に形成され、且つ、軸筒１０２の窓孔１４１から外部に突出される。後側突出部１７３は、操作体１０７の操作部１７１の反対側（軸心側）に設けられ、前側突出部１７２は、後側突出部１７３の前方に設けられ、嵌入部１７４は、操作体１０７の前端部に形成され且つインキ収容筒体を兼ねるチップホルダー１６３の後端開口部に嵌入されている。鍔部１７５は、嵌入部１７４の後方近傍に形成されており、鍔部１７５の前面は、コイルスプリング１０８の後端を押圧している。
【００２５】
また、操作体１０７の両方の側面に係止突起（図示せず）が形成されており、当該係止突起は窓孔１４１の両側壁に抜け止め係合可能となっている。操作体１０７は、合成樹脂（例えば、ポリプロピレン樹脂、ＡＢＳ樹脂、ポリアセタール樹脂等）の成形体により得られる。
【００２６】
筆記体１０６のチップ１６１が没入状態であるとき、当該筆記体１０６に取り付けられた操作体１０７の後端部は、当接壁部に衝止された状態となるようになっている(図１参照）。一方、筆記体１０６のチップ１６１が突出状態であるとき、当該筆記体１０６に取り付けられた操作体１０７の後側突出部１７３が、軸筒１０２の内部に形成された係止壁部１４３ａに係止された状態となるようになっている（図５参照）。
【００２７】
また、チップ没入状態にある筆記体１０６に連結された操作体１０７の前側突出部１７２は、その操作体１０７の操作部１７１が前方にスライド操作される際、先に突出状態にある他の筆記体１０６があれば、当該他の筆記体１０６に連結された操作体１０７の後側突出部１７３が当接しているリリースバー１４３を押圧して当該後側突出部１７３と係止壁部１４３ａとの係止状態を解除する、すなわち、当該他の筆記体１０６のチップ突出状態を解除するようになっている。
【００２８】
一方、軸筒１０２の内部（後軸１０４の内部）には、円筒状のスプリング支持体１０９が設けられている。スプリング支持体１０９には、各筆記体１０６がそれぞれ挿通される５個の内孔が軸方向に貫設されている。そして、スプリング支持体１０９の後面側に、各内孔に対応して、コイルスプリング１０８が配置されている。筆記体１０６は、各内孔１９１及び各コイルスプリング１０８の内部に遊挿され、操作体１０７の鍔部１７５の前面がコイルスプリング１０８の後端を押圧している。
【００２９】
より詳細には、スプリング支持体１０９の後端面に、各内孔に対応して、筒状の凹部が形成されている。そして、各凹部に、各コイルスプリング１０８の前端部外面が圧入保持されている。これにより、筆記体１０６（及び操作体１０７）を交換する際、当該交換作業につられてコイルスプリング１０８が脱落してしまうことが防止されている。
【００３０】
各コイルスプリング１０８は、各々の操作体１０７（即ち各々の筆記体１０６）を、常時、後方に付勢している。すなわち、各コイルスプリング１０８は、チップ突出状態及びチップ没入状態のいずれにおいても、圧縮状態（即ち筆記体１０６が後方に付勢された状態）を維持している。これにより、操作体１０７の前後のがたつきが防止されている。但し、各コイルスプリング１０８は、その内部に筆記体１０６が挿通されていない状態（例えば筆記体の交換作業中の状態）では、非圧縮状態（フリー状態）となるようになっている。
【００３１】
続いて、図２は、図１の多芯筆記具１０１の先端部分の拡大縦断面図であり、図３は、図２のＡ−Ａ線断面図である。また、図４（ａ）は、図１の多芯筆記具１０１の環状部材１３５と弾性部材１３４とカラー部材１３３の斜視図であり、図４（ｂ）は、当該環状部材１３５と弾性部材１３４とカラー部材１３３の側面図であり、図４（ｃ）は、図４（ｂ）のＣ−Ｃ線断面図であり、図４（ｄ）は、当該環状部材１３５と弾性部材１３４とカラー部材１３３の正面図（先端側から見た図）であり、図４（ｅ）は、当該環状部材１３５と弾性部材１３４とカラー部材１３３の背面図である。
【００３２】
図１、図２、図５及び図６に示すように、本実施形態の多芯筆記具１０１には、複数のチップホルダー（インキ収容筒体）１６３のうちの１つのチップホルダー１６３の前端側への移動に伴って当該１つのチップホルダー１６３に固定されたチップ１６１の外周に遊嵌可能であって、当該遊嵌時において当該チップ１６１に対して当該チップ１６１の軸方向に移動可能な環状部材１３５（例えばポリアセタール製）が設けられている。
【００３３】
特に図４（ａ）及び図４（ｃ）に示すように、環状部材１３５の外周の前方側領域には、前端に向かって先細状の当接面として切頭円錐面状の当接面１３５ｔが形成されている。当該当接面１３５ｔの後方側には、円筒部１３５ａが連続して設けられ、更にその後方側に、円筒部１３５ａと同径の筒状の樹脂バネ部１３４が一体成形されている。本実施形態では、樹脂バネ部１３４の内径は、当接面１３５ｔに対応する部位の内径と同一である。
【００３４】
樹脂バネ部材１３４は、軸方向に垂直な方向に延びるスリット１３４ｓが複数形成されており、軸方向に伸縮可能となっている。具体的には、図２、図４（ａ）及び図４（ｃ）に示すように、本実施形態の樹脂バネ部材１３４は、上下に向き合う略半円状のスリット１３４ｓの対と、左右に向き合う略半円状のスリット１３４ｓの対とが、軸方向に１対毎に交互に、それぞれ２対及び１対形成されている。対をなすスリット１３４ｓ同士の間の残部は、リブ１３４ｂと呼ばれている。また、本実施形態では、各スリット１３４ｓの幅（軸方向長さ）は均一で、軸方向に隣接するスリット１３４ｓ間の軸方向間隔も均一で、両者は同一である。もっとも、これらの寸法上の関係は、所望の弾性程度を実現するべく、後述のように適宜に調整され得る。
【００３５】
樹脂バネ部材１３４の更に基端側には、カラー部材１３３が一体成形されている。カラー部材１３３は、特に図４（ｃ）に示すように、全体的には先細状の円筒体からなり、後端部に大径の後端カラー部１３３ｂが設けられている。後端カラー部１３３ｂは、図２に示すように、コイルバネ１３２を介して前軸１０３の内面に固定されている。また、本実施形態のカラー部材１３３には、コイルバネ１３２と後端カラー部１３３ｂとの固定を補助するために、バネ固定補助部１３３ｆが設けられている。
【００３６】
すなわち、カラー部材１３３は、基端側（後端側）から先端側に向かって、後端カラー部１３３ｂ、バネ固定補助部１３３ｆ、本体部１３３ａ及び先細部１３３ｔを当該順序で有している。後端カラー部１３３ｂ、バネ固定補助部１３３ｆ及び本体部１３３ａは、本実施形態ではいずれも円筒形状の部位であり、それらの断面直径の相互関係は、後端カラー部１３３ｂ＞バネ固定補助部１３３ｆ＞本体部１３３ａとなっている。
【００３７】
また、図２及び図４（ｃ）に示すように、先細部１３３ｔの内面側には、チップ１６１の後端部に対して大径である（段差を有する）チップホルダー１６３（インキ収容筒体）の前端部が当接するための拡径部１３３ｅが設けられている。これにより、チップホルダー１６３が前端側へ移動される際、当該チップホルダー１６３の前端部が拡径部１３３ｅに当接し、コイルバネ１３２を圧縮しながらカラー部材１３３を前端側へと押圧するようになっている。
【００３８】
そして、本実施形態の環状部材１３５には、切欠きとして、４本のスリット１３５ｓが設けられている。図４（ａ）に示すように、４本のスリット１３５ｓは、環状部材１３５の周方向に等間隔に（９０°おきに）配置されている。また、４本のスリット１３５ｓは、いずれも、環状部材１３５の軸方向に前端から円筒部１３５ａの後端近傍まで延びている。これにより、当接面１３５ｔにおいて荷重を受ける時、環状部材１３５の内径は柔軟に縮径するようになっており、且つ、当該荷重が解除される時、環状部材１３５の内径は弾性的に復帰するようになっている。
【００３９】
一方、図２に示すように、前軸１０３の開口１３１の近傍に、前端に向かって先細状の案内面として凹切頭円錐面状の案内面１０３ｔが形成されている。これにより、当接面１３５ｔは、筆記体１０６の前端側への移動に伴ってカラー部材１３３及び環状部材１３５が前端側へ移動される際（図１→図５）、案内面１０３ｔから荷重を受けるようになっている。そして、当該荷重によって、環状部材１３５は、スリット１３５ｓの存在によって縮径しながら、樹脂バネ部材１３４の圧縮変形に伴ってチップ１６１に対して当該チップ１６１の軸方向に移動するようになっている。
【００４０】
以上のような構成の多芯筆記具１０１は、以下のように作用する。
【００４１】
図１及び図２に示すように全ての筆記体１０６が没入状態である場合において、一つの操作体１０７の操作部１７１が選択されて、コイルスプリング１０８の後方付勢に抗して窓孔１４１に沿って前方にスライド操作されると、当該操作体１０７に連結された筆記体１０６のチップホルダー１６３の前端部が拡径部１３３ｅを介してコイルバネ１３２に抗しつつカラー部材１３３を前端側に移動させ、当該筆記体１０６のチップ１６１が軸筒１０２の開口１３１より外部に突出される。そして、前方にスライド操作された当該操作体１０７の後側突出部１７３が軸筒１０２の内部の係止壁部１４３ａに新たに係止され、そのチップ突出状態が維持される。
【００４２】
あるいは、他の筆記体１０６が突出状態である場合において、一つの操作体１０７の操作部１７１が選択されて、コイルスプリング１０８の後方付勢に抗して窓孔１４１に沿って前方にスライド操作されると、当該操作体１０７の前側突出部１７２が当該他の筆記体１０６の後側突出部１７３と当接状態にあるリリースバー１４３を径方向外方に押圧する。これにより、係止壁部１４３ａと当該後側突出部１７３との係止状態が解除され、当該他の筆記体１０６はコイルスプリング１０８の後方付勢により後方に移動され、すなわち、軸筒１０２内に没入される。当該他の筆記体１０６の没入と同時に、前方にスライド操作された操作体１０７に連結された筆記体１０６のチップホルダー１６３の前端部が拡径部１３３ｅを介してコイルバネ１３２に抗しつつカラー部材１３３を前端側に移動させ、当該筆記体１０６のチップ１６１が軸筒１０２の開口１３１より外部に突出される。そして、前方にスライド操作された当該操作体１０７の後側突出部１７３が軸筒１０２の内部の係止壁部１４３ａに新たに係止され、そのチップ突出状態が維持される。
【００４３】
図６は、図５の多芯筆記具１０１の先端部分の拡大縦断面図であり、図７は、図６のＢ−Ｂ線断面図である。図５乃至図７に示すように、前記のいずれの場合においても、筆記体１０６の前端側への移動に伴って、環状部材１３５の当接面１３５ｔが前軸１０３の案内面１０３ｔから荷重を受ける。この時、環状部材１３５の４本のスリット１３５ｓの存在によって、環状部材１３５の内径が縮径する。この結果、図７に示すように、前軸１０３と環状部材１３５とが協働して、チップ１６１をガタつき（遊び）の無い態様で把持することができる。
【００４４】
更に、チップ１６１を保持するチップホルダー１６３が拡径部１３３ｅを介して係合しているカラー部材１３３と環状部材１３５の当接面１３５ｔとは、樹脂バネ部材１３４の伸縮作用によって互いに相対移動可能であるため、環状部材１３５の内径の縮径の程度等について高精度の寸法管理をしなくても、チップ１６１をガタつき（遊び）の無い態様で効果的に把持することを保証できる。
【００４５】
その後、例えば他の筆記体の突出操作に伴って、それまで突出していたチップ１６１がコイルスプリング１０８の後方付勢により後方に没入されると、カラー部材１３３もコイルバネ１３２の復元力によって元の位置に復帰する。これに伴って、環状部材１３５の当接面１３５ｔが前軸１０３の案内面１０３ｔから受けていた荷重も消失し、縮径していた環状部材１３５の内径が元の状態に戻る（図７→図３）。
【００４６】
その他、筆記体１０６を交換する際には、蓋部１０５が軸筒１０２の後端開口部を閉鎖した状態（図１参照）から、蓋部１０５のヒンジ部と反対側の操作端部を後方に押圧して係合部と被係合部との係合を解除し、蓋部１０５を後方に回動させることで、軸筒１０２の後端開口部を開口させる。これと同時に、各操作体１０７は、コイルスプリング１０８の後方付勢により、開口部１４２から後方外部へと突出される。この状態から操作体１０７を取り出すことにより、当該操作体１０７と連結状態にある筆記体１０６を軸筒１０２内から取り出すことができる。
【００４７】
その後、新たな筆記体１０６（と新たな操作体１０７）を後端開口部を通して軸筒１０２内に挿入する。そして、蓋部１０５の当接壁部に各々の操作体１０７を当接させて各々の操作体１０７を前方に押圧するように蓋部１０５を前方に回動させ、係合部と被係合部とを係合させ、蓋部１０５を閉鎖させる。これに伴って、新たな操作体１０７の鍔部１７５の前面が対応するコイルスプリング１０８の後端を押圧した状態となり、筆記体１０６（及び操作体１０７）の交換作業が終了する。
【００４８】
以上の通り、本実施形態の多芯筆記具１０１によれば、筆記体１０６（チップホルダー１６３を含む）の前端側への移動に伴ってカラー部材１３３（拡径部１３３ｅを含む）及び樹脂バネ部材１３４を介して環状部材１３５が前端側へ移動し、環状部材１３５の当接面１３５ｔが前軸１０３の案内面１０３ｔから荷重を受けることによって、環状部材１３５のスリット１３５ｓの存在によって環状部材１３５の内径が縮径する。これにより、前軸１０３と環状部材１３５とが協働してチップ１６１の先端部をガタつき（遊び）の無い態様で把持することができる。更に、チップホルダー１６３が当接するカラー部材１３３と環状部材１３５とが樹脂バネ部材１３４を介して接続されていることにより、環状部材１３５の内径の縮径の程度等について高精度の寸法管理をしなくても、チップ１６１をガタつき（遊び）の無い態様で効果的に把持することを保証できる。
【００４９】
また、本実施形態の多芯筆記具１０１によれば、切欠きとしての４本のスリット１３５ｓが環状部材１３５の周方向に等間隔に配置されており、各スリット１３５ｓが環状部材１３５の軸方向に延びているため、環状部材１３５の内径が周方向にバランス良く縮径することができる。
【００５０】
また、当接面１３５ｔと案内面１０３ｔとが、互いに対応する切頭円錐面状と凹切頭円錐面状であることにより、環状部材１３５の当接面１３５ｔは周方向にバランスよく荷重を受けることができ、結果的に環状部材１３５が周方向にバランス良く縮径することができる。このように、当接面１３５ｔと案内面１０３ｔとは、互いに前端に向かって先細状であることが好ましい。先細状の当接面１３５ｔは、円柱状の環状部材１３５の前端外周にＲを設けることでも、形成され得る。また、先細状の当接面１３５ｔは、軸線周りに回転対称な凸曲面を有していて、先細状の案内面１０３ｔは、軸線周りに回転対称であって前記凸曲面の曲率よりも緩やかな曲率の凹曲面または凹切頭円錐面であってもよい。
【００５１】
なお、本実施形態の多芯筆記具１０１では、環状部材１３５がチップ１６１の領域で軸方向に移動可能であって、環状部材１３５が縮径する時にはチップ１６１の領域を把持するようになっているが、本発明はこれに限定されない。例えば、環状部材１３５がチップ１６１を保持する別部材（例えばチップホルダー）の領域で軸方向に移動可能であって、環状部材１３５が縮径する時に当該別部材の領域を把持するようになっていてもよい。
【００５２】
また、スリット１３５ｓの数、サイズ、形状等を適宜に変更することによって、環状部材１３５の弾性（縮径のしやすさ）の程度を調整することができる。また、環状部材１３５の材料及び／または肉厚を変更することによっても、環状部材１３５の弾性（縮径のしやすさ）の程度を調整することができる。
【００５３】
また、スリット１３４ｓの数、サイズ、形状等を適宜に変更することによって、樹脂バネ部材１３４の弾性（伸縮のしやすさ）の程度を調整することができる。スリット１３４ｓは、軸方向に垂直な方向に延びる態様が好適であるが、軸方向に対して斜めに（例えば螺旋状に）延びる態様であってもよい。
【００５４】
また、樹脂バネ部材１３４の肉厚を変更することによっても、樹脂バネ部材１３４の弾性（伸縮のしやすさ）の程度を調整することができる。更に、樹脂バネ部材１３４は、環状部材１３５（当接面１３５ｔ及び円筒部１３５ａ）とは別体の樹脂バネ部材として構成されて、円筒部１３５ａに接合されてもよい。この場合、樹脂バネ部材の材料を調整することによっても、当該樹脂バネ部材の弾性（縮径のしやすさ）の程度を調整することができる。
【００５５】
更に、樹脂バネ部材１３４（あるいは別体の樹脂バネ部材）としては、スリット１３４ｓを有する形態に限定されず、軸方向に伸縮する蛇腹構造を有する形態が採用されてもよい。
【００５６】
なお、異なるレフィル径（チップ１６１及び／またはチップホルダー１６３の径）を有する複数種類の交換用レフィルを混在させて利用することも可能である。
【００５７】
更には、筆記体に代えて、チップ１６１として摩擦部材を保持するレフィルを用いることも可能である。摩擦部材とは、消しゴムや、熱変色性筆記具用の摩擦熱発生用ラバー（消去用ラバー）である。この場合、筆跡消去時に摩擦部材がガタつく事を防止することができ、より安定した筆跡消去感が得られる。
【００５８】
また、本実施形態では、弾性部材１３５と樹脂バネ部材１３４とカラー部材１３３とが互いに固定されており、また、カラー部材１３３と前軸１０３とがコイルバネ１３２を介して互いに固定されている。すなわち、筆記体１０６の方に弾性部材１３５を設けておく必要がないため、従来のチップホルダーを有する既存の交換用レフィルを利用することができる。
【００５９】
従って、本実施形態の発明は、既存の交換用レフィルを利用することが可能な、多芯筆記具用の軸筒として把握することが可能である。この場合、本実施形態は、前端にチップ１６１が固定された複数のチップホルダー１６３を軸方向に移動可能に収容可能であって、前端に開口１３１を有し、前記複数のチップホルダー１６３のうちの１つのチップホルダー１６３の移動に伴って当該１つのチップホルダー１６３に固定されたチップ１６１を前記開口１３１から出没させることが可能な多芯筆記具用の軸筒１０２として説明可能である。
【００６０】
当該軸筒１０２は、１つのチップホルダー１６３の前端側への移動に伴って当該１つのチップホルダー１６３に固定されたチップ１６１の外周に遊嵌可能であって当該遊嵌時において当該チップ１６１に対して当該チップ１６１の軸方向に移動可能な環状部材１３５と、環状部材１３５に樹脂バネ部材１３４を介して接続され前記１つのチップホルダー１６３の前端側への移動に伴って当該１つのチップホルダー１６３に当接可能なカラー部材１３３と、カラー部材１３３を前軸１０３の内面に支持するコイルバネ１３２と、を備えている。そして、環状部材１３５の外周の少なくとも一部には、前端に向かって先細状の当接面１３５ｔが形成されており、環状部材１３５の一部には、切欠きとしてのスリット１３５ｓが形成されており、当接面１３５ｔにおいて荷重を受ける時に当該環状部材１３５の内径が縮径するようになっている。一方、前軸１０３の内面の一部には、前端に向かって先細状の案内面１０３ｔが形成されており、前記当接面１３５ｔは、チップホルダー１６３の前端側への移動に伴って環状カラー１３３及び弾性部材１３４を介して環状部材１３５が前端側へ移動する際、前記案内面１０３ｔから前記荷重を受けるようになっている。
【００６１】
このような軸筒１０２によれば、筆記体１０６（チップホルダー１６３を含む）の前端側への移動に伴ってカラー部材１３３（拡径部１３３ｅを含む）及び樹脂バネ部材１３４を介して環状部材１３５が前端側へ移動し、環状部材１３５の当接面１３５ｔが前軸１０３の案内面１０３ｔから荷重を受けることによって、環状部材１３５のスリット１３５ｓの存在によって環状部材１３５の内径が縮径する。これにより、前軸１０３と環状部材１３５とが協働してチップ１６１の先端部をガタつき（遊び）の無い態様で把持することができる。更に、チップホルダー１６３が当接するカラー部材１３３と環状部材１３５とが樹脂バネ部材１３４を介して接続されていることにより、環状部材１３５の内径の縮径の程度等について高精度の寸法管理をしなくても、チップ１６１をガタつき（遊び）の無い態様で効果的に把持することを保証できる。
【００６２】
なお、以上の説明においては、チップホルダー１６３を前端側へ移動させる機構として、操作体１０７の操作部１７１をスライド操作させる態様が採用されているが、これに代えて、いわゆる回転繰り出し機構が採用されてもよい。
【符号の説明】
【００６３】
１０１    多芯筆記具
１０２    軸筒
１０３    前軸
１０３ｔ  案内面
１３１    開口
１３２    コイルバネ（第２弾性部材の一例）
１３３    カラー部材（環状カラーの一例）
１３３ａ  本体部
１３３ｔ  先細部
１３３ｂ  後端カラー部
１３３ｅ  拡径部
１３３ｆ  バネ固定補助部
１３４    樹脂バネ部材（弾性部材の一例）
１３４ｓ  スリット
１３４ｂ  リブ
１３５    環状部材
１３５ｓ  スリット
１３５ｔ  当接面
１３５ａ  円筒部
１０４    後軸
１４１    窓孔
１４３    リリースバー
１４３ａ  係止壁部
１４４    クリップ
１０５    蓋部
１０６    筆記体（ボールペン）
１６１    チップ
１６３    チップホルダー（インキ収容筒体）
１０７    操作体
１７１    操作部
１７２    前側突出部
１７３    後側突出部
１７４    嵌入部
１７５    鍔部
１０８    コイルスプリング
１０９    スプリング支持体
【図１】
2019111659.tif 000003
【図２】
2019111659.tif 000004
【図３】
2019111659.tif 000005
【図４】
2019111659.tif 000006
【図５】
2019111659.tif 000007
【図６】
2019111659.tif 000008
【図７】
2019111659.tif 000009